(57)【要約】【課題】ウェブブラウザ・ウィジェットをソーシャルインデクシングとインターフェースさせるためのシステム及び方法を提供する。【解決手段】電子的に格納された記事等と各々関連する複数のソーシャルインデックスが維持される。ソーシャルインデックスは、少なくとも１つの記事に関連するトピック等を含む。ウェブブラウザ上で遠隔実行されるウィジェットがインターフェースされ、社会的コミュニティを識別する要求が受け入れられる。ウェブブラウザ上で閲覧することができるウェブページが識別され、ウェブページに含まれるコンテンツが取得されソーシャルインデックスが取得される。ソーシャルインデックス内のトピックモデルがコンテンツに対して評価される。コンテンツに適合するトピックモデルのそれに対応する、ソーシャルインデックス内のトピックに基づき、トピック別に関連性のある情報が選択され、提示のために配置されたウィジェットに提供される。【選択図】図１
2010055619.tif 000002
【特許請求の範囲】
【請求項１】
ウェブブラウザをソーシャルインデクシングとインターフェースさせるためのコンピュータ実施システムであって、
両方が固定記憶域に電子的に格納される、記事と、各々が社会的コミュニティと関係がある複数のソーシャルインデックスと
を含み、各々のソーシャルインデックスは、各々が少なくとも１つのこうした記事に関連するトピックと、各々のトピックのトピックモデルを含んでおり、
プロセッサと、前記プロセッサによる実行のためのコードを格納するメモリとを含むコンピュータと
を含み、前記コンピュータは、
ウェブブラウザ上で遠隔実行されるウィジェットとインターフェースし、１つのこうした社会的コミュニティを識別する前記ウィジェットからの要求を受け入れ、前記ウェブブラウザ上で、現行で閲覧できるウェブページを識別するウィジェットサーバと、
前記ウェブページに含まれるコンテンツを取得するメディアコレクタと、
前記社会的コミュニティの前記ソーシャルインデックスを取得し、前記コンテンツに対する前記ソーシャルインデックスのトピックモデルを評価し、前記コンテンツに適合する前記トピックモデルのそれに対応する前記ソーシャルインデックスの前記トピックに基づいてトピック関連の情報を選択するソーシャルインデクシングサーバと、
を含み、
前記ウェブページ上の前記ウィジェットを介して前記ウェブブラウザを通した提示のために配置されるウィジェットに前記トピック別に関連性のある情報を視覚的に提供するユーザインタフェース
を含むことを特徴とするシステム。
【請求項２】
前記ウェブブラウザ上で、現行で閲覧できる前記ウェブページ、及び前記ウェブブラウザ上で、現行で閲覧できる前記ウェブページと共通のソースから生じる複数のウェブページを含み、前記ウェブページの前記コンテンツが前記ウェブブラウザ上で、現行で閲覧できる前記ウェブサイトに含まれる前記ウェブページの各々の前記コンテンツを含む、複数のウェブページを含むウェブサイトの少なくとも１つを決定するウェブサイト評価器をさらに含むことを特徴とする請求項１に記載のシステム。
【請求項３】
各々のソーシャルインデックスのための前記トピックは、インデックス外挿を通して選択されることを特徴とする請求項１に記載のシステム。
【請求項４】
前記トピックの対象領域及びトレーニング材料における前記トピックの各々を指定し、前記トピックの各々に対する前記トピックモデルを構築し、前記トレーニング材料に対して前記トピックモデルを評価するインデックストレーナと、
前記トピックモデルを各々のこうしたソーシャルインデックスに用いて、前記トピックによりコーパスからのデジタル情報を整理するインデックス外挿器と、
を含むインデクシング及び分析モジュールをさらに含むことを特徴とする請求項３に記載のシステム。
【発明の詳細な説明】
【技術分野】
【０００１】
本発明は、広くオンライン情報の構築及び検索技術に関し、特にソーシャルインデクシング（social indexing）を有するウェブブラウザとインターフェースさせるためのシステム及び方法に関する。
【背景技術】
【０００２】
典型的には、その開示が引用によりここに組み入れられる、係属中の２００８年８月１２日に出願された本発明の譲受人に譲渡された特許文献１において説明されるように、ウェブのような無制限の情報ソースをトピック別に整理することによって、情報の発見及び抽出を促進することができる。書籍は、長い間、トピック別のインデックスで整理されてきた。しかしながら、コーデックス形態の制約は本のサイズ及びページ数を制限し、したがってインデックスを制限する。対照的に、ウェブ材料は物理的境界を欠き、カバーされる内容の全幅に対応し、異なるウェブの利害関係者のニーズにうまく対処するために、より広範なトピックの整理を要求することがある。
【先行技術文献】
【特許文献】
【０００３】
【特許文献１】米国特許出願第１２／１９０，５５２号
【特許文献２】米国特許出願第１２／３５４，６８１号
【特許文献３】米国特許出願第１２／３６０，８３４号
【特許文献４】米国特許出願第１２／３６０，８２３号
【特許文献５】米国特許出願第１２／４３６，０６０号
【特許文献６】米国特許出願第１２／４３６，０６７号
【特許文献７】米国特許公表２００８／００２７７０７号
【特許文献８】米国特許仮出願第６１／０９２，７４１号
【非特許文献】
【０００４】
【非特許文献１】ｈｔｔｐ：／／ｅｎ．ｗｉｋｉｐｅｄｉａ．ｏｒｇ／ｗｉｋｉ／Ｗｅｂ＿ｗｉｄｇｅｔ
【発明の概要】
【発明が解決しようとする課題】
【０００５】
利害関係者の第１の組織体、情報製造者、及び具体的には、ブログの書き手又は「ブロガー」は、多くの場合、複数のトピックについて書き、それにもかかわらず各々のブロガーの記述は通常、単一のウェブサイトの下で組み合わせられている。ブログのウェブサイトがよく整理されるように保つことは、サイトを維持するのに必要な努力を増加させ、ブログを書くための存在意義を損なう。さらに、ブロガーは一般的に、ウェブサイトをトピックごとにというよりは日ごとに整理しており、ブロガーの少数派は自分達の記事をキーワード又はトピックでタグをつける。しかしながら、記事にタグをつけることは、ブロガーに余計な仕事を課し、以前にタグをつけられたトピックを説明する新しいタグが現われたとき、その新しいタグの下に既存のコンテンツを更新することは単調でつまらなく、時間がかかり、多くの場合実行不可能である。加えて、ブロガーたちはしばしば、他のブロガーたちによって書かれた同じトピックに関する高品質のブログへのハイパーリンクを組み込む。ブログのウェブサイトへのリンクは、ウェブサイトがリンクされた全てのブロガーに対してウェブトラフィックを増加させるが、各々のブロガーは手動で各々のハイパーリンクを維持しなければならず、それはリンクされたウェブサイトのいずれかへのハイパーリンクが変更になった場合又は期限切れになった場合には無効になってしまう。
利害関係者の別の組織体、情報探求者は、最上の情報をもつブロガーを探そうと試みて膨大な時間を費やすオンラインリーダ又はユーザを含む。一般に、特定のトピックについての最上の記事を見つけるためにあらゆるブロガーが書いた記事の各々を取捨選択することは、ユーザにかなりの努力を要求する。したがって、一部のユーザは、ウェブユーザ全体による記事に対する投票を支持するブログリーディングツールを用いるが、これらのツールは多くの場合整理されておらず、オントピックであり、同じ考えをもったユーザのコミュニティによって支持されてはいない。また、投票の質及び有用性は、しばしばむらがあり、矛盾している。他のユーザは、トピック別に関連性のあるブログ記事を見つけるための検索ツールを用いる。しかしながら、ユーザは新しい記事を見つけるために必要な適当な検索用語を知らないことすらあるので、検索ツールは特定のトピックの新しい記事に通じているようにするためにはあまり効果的ではない。また新しい記事が見つかったときでさえ、ユーザは多くの場合、苦労して得た見解を効果的に共有するという努力を強いられる。
【０００６】
利害関係者の第３の組織体、ウェブを介して製品及びサービスを提供する会社は、一般的に彼らの広告が、目標とされた広告を通してトピック別に関連するウェブサイトと適合するようにし、それはその業界のあらゆるブロガーに広告を手配するのに比べて費用効率が高い代替的手法である。例えば、カリフォルニア州マウンテンビュー所在のグーグル社が提供するＡｄ  Ｓｅｎｓｅは、オークションにより決定されたウェブページの異なる部分に広告を出している。広告主はオンライン広告に合うように用いられるキーワードを競り落とし、又は、広告はウェブページのコンテンツと適合する一般検索クエリと関連している。しかしながら、さらに、ウェブページ上の情報が適切な広告を提案するための論理を対象とするキーワードをトリガするのに失敗したとき、及び本質的に不明瞭な用語が、異なる市場間で、オンライン広告を適切に対象とするように区別化するのに十分な内容がない場合には、広告機会が失われる。
【０００７】
利害関係者の第４の組織体、ソーシャルインデクシング（social indexing）ウェブサイトは、ユーザの注目を争う多くの様々な種類のウェブサイトの中に含まれている。一般に、ウェブサイトはウェブサイトのハイパーリンク、すなわち明確にＵｎｉｆｏｒｍ  Ｒｅｓｏｕｒｃｅ  Ｌｏｃａｔｏｒ（ＵＲＬ）を指定するユーザによって、或いは、検索エンジンによって生成される検索結果を通じて選択されたウェブサイトによって到達される。ユーザによって発見されるようにするという課題は、特に新しいウェブサイト又は競合する検索エンジンプロバイダと関連するウェブサイトに対して潜在的な課題を作り出す。
【課題を解決するための手段】
【０００８】
１つの実施形態は、ウェブブラウザ・ウィジェットをソーシャルインデクシングとインターフェースさせるためのシステム及び方法を提供する。電子的に格納された記事及び各々が社会的コミュニティと関連する複数のソーシャルインデックス（social indexes）が維持される。各々のソーシャルインデックスは、各々が少なくとも１つのこうした記事に関連するトピックと、各々のトピックのトピックモデルとを含む。ウェブブラウザ上で遠隔実行されるウィジェットは、インターフェースされ、１つのこうした社会的コミュニティを識別するウィジェットからの要求が受け入れられる。ウェブブラウザ上で、現行で閲覧できるウェブページが識別され、ウェブページに含まれるコンテンツが取得される。社会的コミュニティのソーシャルインデックスが取得される。ソーシャルインデックスにおけるトピックモデルが、コンテンツに対して評価される。コンテンツに適合するトピックモデルのそれに対応するソーシャルインデックス内のトピックに基づいてトピック別に関連性のある情報が選択される。トピック別に関連性のある情報は、ウェブページ上のウィジェットを介した、ウェブブラウザを通じた提示のために配置されたウィジェットに提供される。
【０００９】
さらに進んだ実施形態は、個別化されたウェブブラウザのウィジェットをソーシャルインデクシングとインターフェースするためのコンピュータ実施方法を提供する。電子的に格納された記事及び社会的コミュニティと各々関連する複数のソーシャルインデックスが維持される。各々のソーシャルインデックスは、各々が少なくとも１つのこうした記事に関連するトピック、及び、各々のトピックのトピックモデルを含む。ウェブブラウザ上で遠隔実行されるウィジェットがインターフェースされる。パラメータ化された情報を含むウィジェットからの要求が、ソーシャルインデックス化システムにより受け入れられる。その要求は、ウィジェットによって知られるような、社会的コミュニティのメンバーを識別することができる。ウィジェットは、ソーシャルインデックス化システムで用いられ、ユーザ対話の履歴を含むその他の情報に接続する一意の識別情報を有することができる。要求は、インデックス又はトピック選択、表示選択、記事の投票、コメントといったウィジェットのユーザとの対話からのその他の情報、又は、ソーシャルインデックス或いはウィジェットホスティングサイトとの対話からのデータなどから得られた情報を伝達することができる。所与のウィジェットは、ソーシャルインデクシングシステムにおいて、１つより多いインデックスに接続することができる。１つ又はそれ以上のソーシャルインデックスが取得され、トピック別に関連性のある情報がソーシャルインデックスから選択される。トピック別に関連性のある情報は、ウェブページ上のウィジェットを介して、ウェブブラウザを通した提示のために配置されたウィジェットに提供される。
【００１０】
さらに、その他の実施形態が、想定される最良の態様を示すことにより実施形態が説明される以下の詳細な説明から当業者には容易に明らかになるであろう。また、その他の及び異なる実施形態が可能であり、本実施形態のいくつかの詳細は、その精神及び範囲から逸脱することなく、種々の明らかな点で、修正が可能であることが理解される。したがって、図面及び詳細な説明は本質的に例示的なものであり、限定的なものとしてみなされるべきではない。
【図面の簡単な説明】
【００１１】
【図１】デジタル情報の意味付与及び情報抽出のための例示的な環境を示すブロック図である。
【図２】図１の環境で用いられる主な構成要素を示す機能ブロック図である。
【図３】１つの実施形態にしたがった、ウェブブラウザ・ウィジェットをソーシャルインデクシングとインターフェースさせるための方法を示すフロー図である。
【図４】図３の方法において用いる、ウィジェットを介して動作を開始するためのルーチンを示すフロー図である。
【図５】図３の方法において用いる、インデックスサーバを介して要求を処理するためのルーチンを示すフロー図である。
【図６】さらに進んだ実施形態にしたがった、図３の方法において用いるインデックスサーバを介して要求を処理するためのルーチンを示すフロー図である。
【図７】図３の方法において用いる、ウィジェットを介して結果を提示するためのルーチンを示すフロー図である。
【図８】一例として、ウェブブラウザ・ウインドウ内のソーシャルインデクシングウィジェットを示す、スクリーンショットである。
【発明を実施するための形態】
【００１２】
デジタル情報の意味付与及び抽出は関連があるが、別個の活動である。前者は、インターネット、独立型コンピュータシステム、及び制限のないデジタル情報のリポジトリのような、公衆データネットワークを含む、デジタル情報インフラストラクチャによって媒介された意味付与に関する。後者は、ソーシャルインデクシングを通じて、又はその他のインデクシングソースによってトピック別に整理することができる、デジタル情報インフラストラクチャからの情報を検索し引き出すことに関する。図１は、デジタル情報の意味付与及び情報の抽出のための例示的な環境１０を示すブロック図である。ソーシャルインデクシングシステム１１及びトピック検索システム１２は、それぞれ意味付与及び抽出を支持するために連繋して働き、その作業は次いで、ウェブブラウザ上で実行するウィジェットを通じて、ブロガーといった情報生成者、及び情報探求者すなわちエンドユーザによって用いられることができる。
【００１３】
一般に、デジタル情報は、デジタル形態で利用可能な情報のコーパスである。情報の範囲は無制限であり、それはコーパス及びそのトピック範囲が継続的に及びサイズ又は内容について一定の境界なしで成長することを意味する。インターネットのようなデジタルデータ通信ネットワーク１６は、デジタル情報の準備、交換、及び消費のためのインフラストラクチャを提供する。例えば非公営法人企業網のような、その他のネットワークインフラストラクチャも可能である。ネットワーク１６は、上記で説明されるように、記事及びその他のコンテンツを含むコーパスを表わしアクセスする、４つの利害関係者の組織体の間のような、種々の分布された情報ソース及び消費者に相互接続を提供する。ブロガー、著者、編集者、共同制作者、及び外部投稿者たちは、絶え間なくブログのエントリ、記事、ウェブページ、及び同様のものをネットワーク１６に書き込み、それらはウェブサーバ１４ａ、ニュース集積サーバ１４ｂ、投票に関して働くニュースサーバ１４ｃ、及びその他の情報ソースを通して分布されたデータのコーパスとして維持される。これらのソースはそれぞれ、ウェブコンテンツ１５ａ、ニュースコンテンツ１５ｂ、コミュニティで投票された又は「点検された」コンテンツ１５ｃ、及びその他の情報をパソコン及びその他のサーバのようなユーザデバイス１３ａからｃを通してネットワーク１６にアクセスするユーザに供給する。明確にするために、ユーザデバイスのみについて述べられているが、サーバ及びその他の非ユーザデバイス情報の消費者も同様にコーパス内に維持されている情報を検索し、抽出し、用いることができる。
【００１４】
一般に、各々のユーザデバイス１３ａから１３ｃは、ウェブブラウザ又はサーバ１４ａから１４ｃとのインターフェース及びサーバ１４ａから１４ｃとの情報交換及び抽出を支持する、同様のアプリケーションを実行するウェブ使用可能デバイスである。ウェブブラウザは、情報ソースから供給されるウェブページを表示し、ウィジェットは、さらに図２を参照して以下に説明されるように、増強コミュニティのメンバーから生じるウェブページに含まれる。ウィジェットは、ブログのようなコンテンツ発行者ページ、ソーシャル・ネットワークのメンバー、及び他の用途のために用いることができる。
ユーザデバイス１３ａから１３ｃ及びサーバ１４ａから１４ｃの双方は、中央処理装置、メモリ、入力／出力ポート、ネットワーク・インターフェース、及び不揮発性記憶装置のような、汎用プログラム可能コンピューティングデバイス内に通常見出される構成要素を含む。その他の構成要素もまた可能である。同様に、サーバ１４ａから１４ｃの代わりに又は付加的に、その他の情報ソースが可能であり、ユーザデバイス１３ａから１３ｃの代わりに又は付加的に、その他の情報の消費者も可能である。
【００１５】
デジタル情報抽出は、意味付与を補完する。１つの実施形態において、トピック探索システム１２は、ソーシャルインデクシングシステム１１に統合される。増強コミュニティを基礎とするトピックインデックスを通してソーシャルインデクシングシステム１１によって提供されたトピックの整理は、トピック検索システム１２によって有利に用いられることができるが、インデクシングのその他のソースも用いることができる。ユーザデバイス１３ａから１３ｃからの検索クエリは、全てのソーシャルインデックス又は単一の集中的なインデックスに対して行われ、動的に着目されトピック別に関連するインデックスの組及びそのトップトピック、又は単一の着目インデックス内のトップトピックはそれぞれ、その開示が引用によりここに組み入れられる、２００９年１月１５日に出願された、係属中の本発明の譲受人に譲渡された特許文献２において開示されるように、検索結果と併せた提示のためにトピック検索システム１２によって生成される。加えて、オンライン広告は、トピック検索及びその他の抽出行為に融合させることができる。
【００１６】
ユーザの立場からは、抽出のための環境１０は、単一の情報ポータルとして現われる。しかしながら、機能的に統合された一組のサービスは、舞台裏（behind the scenes）で協力して動作して環境１０を準備し、これは、情報製作者及び増強コミュニティのメンバーである情報探求者のウェブページに、ウェブページに基づいたアドオンとして導入されるウィジェットを含む。図２は、図１の環境１０において用いられる主要な構成要素２０を示す機能ブロック図である。構成要素は、ソーシャルインデクシングをウェブブラウザ・ウィジェットとインターフェースさせることを狙いとする。追加の構成要素又は機能的モジュールは、発見、探査、及び方向付けのようなその他の関連する又は補完的な行為を支持するために含まれることができる。
【００１７】
構成要素２０は、大まかに、メディアコレクション（media collection）２１、インデクシング及び分析２５、ウィジェットサーバ２８、及び同様の又は別個の相互接続コンピュータシステム上で実行できる、ユーザサービス３３のモジュールに分類できる。メディアコレクションモジュール（media collection module）２１は、スケジューラ２２によって指示されるように無制限の情報源から入ってくるコンテンツ２３を取得する。メディアコレクションスケジュールは、スケジューラ２２に連結するデータベース２４内に維持される。
【００１８】
入ってくるコンテンツ２３は、コレクションスケジュール（collection schedule）に基づく新しいデジタル情報として収集される。新しいデジタル情報はまた、要求に応じて、又は何らかの他のコレクション基準に基づいて取り入れることもできる。入ってくるコンテンツ２３は、体系的な構造化リポジトリ又はデータベース（図示せず）内に格納することができ、或いは実際のコピーを維持する代わりに、入ってくるコンテンツ２３に対するハイパーリンク又は引用を保存することによって間接的に格納することができる。加えて、入ってくるコンテンツ２３は、デジタル情報が元々格納されていたものとは異なる、多数の表現を含むことができる。異なる表現を、タイトルを表示し、記事の要約を提示し、トピック分類を把握し、及びその開示が引用によりここに組み入れられる、係属中の本発明の譲受人に譲渡された２００８年８月１２日に出願された特許文献１において説明されるような、きめの細かいトピックモデルを引き出して用いること、或いは、その開示が引用によりここに組み入れられる、係属中の本発明の譲受人に譲渡された２００９年１月１５日に申請された特許文献２において説明されるような粗いトピックモデルを引き出して用いることを容易にするために用いることができる。記事に含まれる用語はまた、トークン化形態、マイナス句読点、大文字使用などで止められ、保存されることもできる。ソーシャルインデクシングシステム１１によって生成されたきめの細かいトピックモデルは、入ってくるコンテンツ２３のかなり抽象的な形態を表し、ここでは、用語の多くは捨てられ、語の頻度が主に保たれる。
【００１９】
入ってくるコンテンツ２３は、好ましくは、コーパスの情報の全て又は殆どを包含する、分布されたトピックインデックスのより大きい組３１の一部とすることができる、少なくとも１つのトピックの又は「常に新鮮な」ソーシャルインデックス３２の下でソーシャルインデクシングを通して整理される。１つの実施形態において、各々の常に新鮮なインデックス３２は、インデクシング及び分析モジュール２５によって確立され、そのモジュールは本発明の譲受人に譲渡された特許文献１において説明されるように、ソーシャルインデクシングシステムのコアを形成する。常に新鮮なインデックスは、インデックストレーナサブモジュール２６によって生成される有限状態パターンのようなきめの細かいトピックモデルを含み、それは、新しい、入ってくるコンテンツ２３が、インデックスのトピックの１つ又はそれ以上に該当するかどうか試験するのに用いることができる。各々の常に新鮮なインデックス３２は、オントピック（on-topic）であり、同じ考えをもった（like-minded）ユーザの増強されたソーシャルコミュニティに属する。ソーシャルインデクシングシステムは、トピックインデックス２９内の各々のトピック及びサブトピックのトレーニング材料を、きめの細かいトピックモデルにブートストラップするために、インデックストレーナサブモジュール２６を通して学習する監視機械を適用する。トレーニングされると、常に新鮮なインデックスは、予め選択した対象領域のトピックの下で、新しい情報を自動的に分類するように、インデックス外挿サブモジュール（extrapolator submodule）２７によってインデックス外挿（index extrapolation）のために用いることができる。
【００２０】
ユーザサービスモジュール３３は、トピックインデックスの組３１及び１つだけのトピックインデックス３２に対する検索クエリを実行し、検索結果にアクセスするために、分布されたトピックインデックスの組３１及び入ってくるコンテンツ２３にアクセスするために、フロントエンドをユーザシステム３５に提供する。各々のトピックインデックス３２は、コアの対象領域に継続して関心がある「増強」コミュニティとして知られるユーザのコミュニティと関連している。さらに進んだ実施形態において、コミュニティのトピックインデックス３２を通して、各々のトピックの下で分類された記事に投票する３４ことによって、コミュニティは、絶え間なく入ってくる情報２３を「点検」する。
【００２１】
一般に、ユーザは、ウェブブラウザ３６又はそのユーザシステム３５で実行される同様のアプリケーションを用いてトピックインデックス３１及び入ってくるコンテンツ２３にアクセスする。ユーザシステム３５をソーシャルインデクシングシステムとインターフェースさせるためにウェブブラウザ３６によって１つ又はそれ以上のウィジェット３７を表示することができる。各々のウィジェット３７は、さらに図３への参照を始めとして以下に説明されるように、ウィジェットサーバ３８と呼応して実行される。簡単に言えば、ウィジェット３７は、ブロガー又は増強コミュニティメンバーに属するウェブページのような特定のウェブページが供給されたときに始動する。ウィジェットサーバ２８は、ブロガーなどのために動的に生成されるか、又は、増強コミュニティメンバーなどにより予め選択されることができるサブインデックス、「ホット（"hot"）」なトピック、選択された記事、又は関心のあるトピックの中心などのトピック別に関連性のある情報を提供するためにウィジェット３７からの要求を処理する。ホットなトピックは、その開示が引用によりここに組み入れられる、係属中の本発明の譲受人に譲渡された、２００９年１月２７日に出願された特許文献３において説明されるように選択することができ、トピックの着目点は、その開示が引用によりここに組み入れられる、係属中の本発明の譲受人に譲渡された、２００９年１月２７日に出願された特許文献４において説明されるように実現される。トピック別に関連性のある情報は、スケジューラデータ２９をスケジューラ２２に指定することによって閲覧することができ、したがって、ウェブページのコンテンツに関する増強コミュニティのトピックインデックス３２においてトピックを識別するプロセスを開始する。ウィジェットサーバ２８は、ウェブブラウザ２６を通したウィジェット３７による提示のためにトピック別に関連性のある情報をフォーマットする。
【００２２】
さらに進んだ実施形態において、ウィジェットサーバ２８はまた、トピック別に関連性のある情報の代わりに広告データ３０を識別し、提供する。広告データ３０はまた、様々な手法を通してウェブページのコンテンツにトピック別に関連している。例えば、広告データ３０は、その開示が引用によりここに組み入れられる、係属中の本発明の譲受人に譲渡された、２００９年５月５日に出願された特許文献５において説明されるように、ユーザに特定の関心があるソーシャルインデックスの記事又はその一部と関係があるトピックを識別することによって広げることができる。加えて、広告データ３０は、その開示が引用によりここに組み入れられる、係属中の本発明の譲受人に譲渡された、２００９年５月５日に出願された特許文献６において説明されるように、特定の広告主の関心に最もぴったり合う関心を反映するトピックをもつ特定の社会的コミュニティを対象とすることができる。
【００２３】
さらに進んだ実施形態において、ウェブページ上で完全なウィジェットによって占められた全体の表示スペースまで使い尽くす広告は、ウィジェット内にその他のコンテンツをもつ、よりスペースが制約された広告を含むことの代替的手法として定期的にかつ暫時供給されることができる。例えば、ワイン試飲会のトピックに関するウィジェットは、ワイン試飲会関連のトピックの広い領域を網羅するコンテンツを表示することができる。数秒ごとにではあるが、ウィジェットは、短い広告、例えば５秒くらいのワインについてのアニメーション又は短いビデオを、トピック別に関連性のある情報表示に戻る前に、掲載することができるだろう。この試みは、一瞬の間にだけ示される、効果的な広告挿入を狙っている。したがって、ウェブページの広告は、下にあるウェブコンテンツをもつウィジェットを介して、ウェブページ内で表示スペースを時分割する。さらに、広告データ３０をウェブページコンテンツに適合させ、表示するためのその他の技術が可能である。
【００２４】
ソーシャルインデクシングシステムは、統合されたデジタル情報プロセス環境によってもたらされる、一組のサービスである。ウィジェットは、ブログのような特定のウェブページをトピック別に整理されたソーシャルインデックスに関連付けることができ、同様に増強コミュニティのメンバーが、コミュニティのソーシャルインデックスに、ウインドウを通して特定の対象領域において彼らの見解を示すことを可能にする。図３は、１つの実施形態にしたがって、ウェブブラウザ・ウィジェットをソーシャルインデクシングとインターフェースさせるための方法４０を示すフロー図である。方法４０は、例えば、ユーザデバイス１３ａから１４ｃ及びサーバ１４ａから１４ｃ（図１で示されるように）のような、汎用プログラムコンピュータによって一部が実行される、一連のプロセス又は方法ステップとして行われる。
【００２５】
各々のウィジェット３７は、連続的なサイクル（ステップ４１‐４５）の一部として実行され、その始まりにおいてウィジェット３７は、さらに図４を参照して以下に説明されるように、ウィジェットサーバ２５を介してインデクシング（indexing）及び分析モジュール２５（又は単純に、「インデクシングサーバ（indexing server）」）に要求を送ることによって動作を始める（ステップ４２）。インデクシングサーバ２５は、図５を参照して以下にさらに説明されるように、ウェブブラウザによって現在提示されているウェブページを巡回し、トピック別に関連性のある情報を選択することによって、又は、変形例として、図６を参照して以下にさらに説明されるように予め選択されたトピック別に関連性のある情報を提供することによって、ウィジェットサーバ２８と連動して要求を処理する（ステップ４３）。最後に、インデクシングサーバ２５によって生成された結果は、図７を参照して以下にさらに説明されるようにウィジェット３７によってユーザに提示される（ステップ４４）。本方法は、ウィジェット３７が関係している各々のウェブページについて、絶え間なく繰り返される。さらに、トピック別に関連性のある情報を提供することに関その他のウィジェット動作が可能である。
【００２６】
ウィジェット３７は、ウェブページのコンテンツ内に配置される情報オブジェクト又はモジュールである。ウィジェットは、トピック別に関連性のある情報を表示するためにユーザインタフェースを提供し、提供された場合には、図８を参照して以下にさらに説明されるように、広告は、したがって視覚的にウェブページ表示に埋め込まれている。各々のウィジェットは、その開示が引用によりここに組み入れられる、非特許文献１において説明されるように、Ｊａｖａ（登録商標）Ｓｃｒｉｐｔ、ＤＨＴＭＬ、及びＡｄｏｂｅ  Ｆｌａｓｈのようなソフトウエアプログラム言語で実行することができる。図４は、図３の方法４０で用いるウィジェット３７を介して動作を始めるためのルーチン５０を示すフロー図である。ユーザがブロガーのウェブページ或いは任意のその他のウェブページを見るとき、ウィジェット３７は、起動によって初期化され、特定の増強コミュニティのためのトピック別に関連性のある情報に対する要求を生成する（ステップ５１）。次いで、要求はウィジェットサーバ２８を介してインデクシングサーバ２５に送られ（ステップ５２）、その後、ウィジェットは結果を待つ。
【００２７】
ウィジェット３７は、ウェブブラウザ３６において実行されて、ユーザインタフェース及びトピック別コンジットをソーシャルインデクシングシステムに提供する。しかしながら、仕事の大部分（bulk of the work）は、ウィジェット３７による表示のためにトピック別に関連性のある情報を選択するようにバックグラウンドで動作する、インデクシングサーバ２５及びウィジェットサーバ２８によって行われる。１つの実施形態において、ウィジェットサーバは、ブロガーなどのために、識別されたウェブページ又はサイトに基づいて、トピック別に関連性のある情報を動的に生成する。図５は、図３の方法４０で用いるインデックスサーバを介して要求を処理するためのルーチン６０を示すフロー図である。各々のウィジェット要求は、ウェブブラウザを介して現在閲覧されているウェブページのＵＲＬを収集し、要求ウィジェット３７の増強コミュニティを決定する、ウィジェットサーバ２８によって受け取られる（ステップ６１）。ウィジェットサーバ２８は、社会的コミュニティのソーシャルインデックスを取り出し(ステップ６２)、スケジューラのデータベース２４によって維持されている収集スケジュールに伝達される、スケジューラデータ２９を指定することによってＵＲＬで識別されたウェブページのコンテンツを巡回し、収集するように（ステップ６３）、インデクシングサーバ２５に命令する。同様に、スケジューラ２２は、適時にウェブページを収集するようにメディアコレクタ（media collector）２１に命令する。さらに進んだ実施形態において、ウェブページはキャッシュされることができ、又はメディアコレクタ２１は、そのウェブページのコンテンツが以前に取得された任意のコンテンツより新しい場合にのみ、ウェブページを抽出することができる。
【００２８】
インデクシングサーバ２５は、ウェブページ上でトピックを分析し（ステップ６４）、様々なインデックス外挿手法を通じて一組のサブトピックを識別する。１つの実施形態において、インデクシングサーバ２５は、本発明の譲受人に譲渡された特許文献１において説明されるように、きめの細かいトピックモデルを生成する。簡単に言えば、この手法によれば、対象領域におけるトピックの各々及びトピックのためのトレーニング材料（training material）が指定されている。トピックモデルは各々のトピックに対して作られている。したがって、トピックモデルは、トレーニング材料と対して評価され、コーパスからのデジタル情報は、各々のソーシャルインデックスにトピックモデルを用いるトピックによって整理される。さらに進んだ実施形態において、インデクシングサーバ２５は、その開示が引用によりここに組み入れられる、係属中の本発明の譲受人に譲渡された、２００８年１月３１日に発行された特許文献７において説明されるように、持続的ガイドとしてトピックを生成する。簡単に言えば、この手法によれば、デジタル情報の記事からのコンテンツ部分は、ウェブブラウザ内に表示される。コンテンツ部分からの情報項目が決定される。コンテンツ部分からの情報項目に対応するデジタル情報の記事のための一組のガイド要素もまた、決定される。ウェブブラウザ内の一組のガイド要素が、次いで持続的対話型ガイド内に表示され、そこにおいて持続的対話型ガイドは、各々のソーシャルインデックスとして整理される。さらに、インデックス外挿を行うためのその他の技術が可能である。
【００２９】
さらに進んだ実施形態において、発行者、ブロガー、又はウィジェットが置かれているその他のソースからのコンテンツは、分析することができる。例えば、ウェブブラウザ上で現在閲覧されているウェブページが属するウェブサイトの一部を形成する各々のウェブページは、巡回され、収集され、及び分析されることができる。同様に、ウェブブラウザ上で現在閲覧されているウェブページが属する共通のソースから生ずる各々のウェブページは、巡回され、収集され、及び分析されることができる。一部の発行者は、彼らのウェブサイトと関連するデータベース内にあるが、すぐにはウェブページにアクセスできないコンテンツを有することがある。例えば、Ｗａｌｌ  Ｓｔｒｅｅｔ  Ｊｏｕｒｎａｌ又はＮｅｗ  Ｙｏｒｋ  Ｔｉｍｅｓのウェブサイトのコンテンツは、関連するデータベース内に保管される。同様に、コンテンツを表示するウェブページは、分析の一部として生成される必要がある場合もある。
【００３０】
トピック分析の結果を受け取ると、インデクシングサーバ２５は、ウェブページに関連する増強社会的コミュニティのインデックスからのトピックに基づいてトピック別に関連性のある情報を選択する(ステップ６５)。インデクシングサーバ２５は、現行のウェブページのコンテンツに関連するウェブ上でその他のソースからその他の情報の選択を際立たせるインデックスに基づく要約を準備することができる。インデクシングサーバ２５はまた、現行のソーシャルインデックスにおいて高く格付けされたソースに対してその他のソースの選択を調整することができる。最後に、インデクシングサーバ２５は、さらなるコンテンツを読む又は購入するための対話を支持する、同一の発行者によって作られたその他の記事へのガイドを提供することができる。
【００３１】
さらに進んだ実施形態において、インデクシングサーバ２５は、上記で説明されたように、トピック別に関連する広告を要求する（ステップ６６）。インデクシングサーバ２５は次いで、トピック別に関連性のある情報及び、与えられる場合には、広告データ３０の記述を、ＨＴＭＬ又は好適なページ記述言語におけるコードを生成するなどによって、ウェブコンテンツとして生成する（ステップ６７）。一般に、トピック別に関連性のある情報は、サブインデックスのように、情報の種類によってフォーマットされた情報表示として準備される。その他のフォーマット化決定が要求されることもある。例えば、記事を表示するとき、タイトル、ＵＲＬ、記事の数などのような、特定の情報の量及び種類を決めなければならない。同様に、トピック又は「ホットな」トピックを表示する場合には、具体的なトピックを選択しなければならない。最後に、インデクシングサーバ３５は、ウェブブラウザを介して表示するために、ウェブコンテンツをウィジェット３７に送る（ステップ６８）。
【００３２】
さらに進んだ実施形態において、ウィジェットサーバは、増強コミュニティメンバーなどのために、予め選択されたトピック別に関連性のある情報を提供する。予め選択されたトピック別に関連性のある情報は、したがって、その増強コミュニティのソーシャルインデックスを通してトピック別に整理されるように、メンバーが選んだ対象領域の見解を提供することができる。図６は、さらに進んだ実施形態にしたがって図３の方法で用いるインデックスサーバを介して要求を処理するためのルーチンを示すフロー図である。すでに述べたように、パラメータ化された情報を含む各々のウィジェット要求は、要求ウィジェット３７の増強社会的コミュニティを決定する、ウィジェットサーバ２８によって受け取られる（ステップ７１）。パラメータ化された情報は、社会的ネットワーク化ウェブサイトからの情報のように、ウィジェットが置かれているウェブサイトからの情報とすることができる。その情報はまた、ウィジェットの一意の識別情報を含むこともできる。さらに、その情報は、記事に対するユーザの選択、投票又はコメント、又は、ソーシャルインデックスの内容におけるユーザの関心に関するあらゆる他の情報を示す、ウィジェットとのユーザ対話からの結果を含むことができる。要求は、ウィジェットによって知られるように、社会的コミュニティのメンバーを識別することができる。ウィジェットは、ソーシャルインデクシングシステムによって用いられ、ユーザ対話の履歴を含むその他の情報に接続する一意の識別情報を有することができる。要求は、インデックス又はトピック選択、表示選択、記事の投票、コメントといったウィジェットのユーザとの対話からのその他の情報、又は、ソーシャルインデックス或いはウィジェットホスティングサイトとの対話からのデータなどから得られた情報を伝達することができる。所与のウィジェットは、ソーシャルインデクシングシステムにおいて、１つより多いインデックスに接続することができる。ウィジェットサーバ２８は、社会的コミュニティのソーシャルインデックスを取り出す（ステップ７２）。インデクシングサーバ２５は、ウェブページとトピック別に関連する、メンバーによって予め選択されているような、増強社会的コミュニティのインデックスからのトピックに基づく、トピック別に関連性のある情報を選択する（ステップ７３）。さらに進んだ実施形態において、インデクシングサーバ２５は、上記で説明されたように、トピック別に関連する広告を要求する（ステップ７４）。インデクシングサーバ２５は次いで、トピック別に関連性のある情報、及び、提供される場合には、ＨＴＭＬ又は好適なページ記述言語におけるコードを生成することなどにより、広告データ３０の記述を生成する（ステプ７５）。最後に、インデクシングサーバ３５は、ウェブブラウザを介して表示するために、ウェブコンテンツをウィジェット３７に送る（ステップ７６）。
【００３３】
ウィジェット３７は、ウェブブラウザ３６を通して現在ユーザに閲覧されているウェブページと、トピック別に密接な関係がある情報を要求し、表示する。図７は、図３の方法４０で用いるウィジェットを介して結果を提示するためのルーチン８０を示すフロー図である。ウィジェットの要求に応えてインデクシングサーバ２５によって生成され、送られたウェブコンテンツは、ウェブブラウザを介して受け取られ（ステップ８１）、提示される（ステップ８２）。トピック別に関連性のある情報内のトピックが、ユーザによって選択された場合には（ステップ８３）、ウェブブラウザは、増強コミュニティのためのソーシャルインデクシングウェブサイトから抽出されたウェブページを表示し、ここでは追加の記事を探すことができる。同様に、広告データ３０が提供され表示されるとき、ウェブブラウザは広告の任意の選択を処理する。さらに、ウェブコンテンツの表示及び選択に関するその他のウィジェット操作が可能である。
【００３４】
図８は、ソーシャルインデクシングウィジェット９２の視覚的な外観のスクリーンショット９０を示す。この例において、ウィジェットは、ブロガーがガーデニングについての記事を書いている、「人生の目的活動（Life Goal Action）」と呼ばれるウェブページ９１に追加されている。
【００３５】
ウィジェットコードは、ソーシャルインデクシングシステムを呼び出し、ブログのウェブページのＵＲＬを提供し、ソーシャルインデックス内で「歩道庭園（Sidewalk Gardens）」コミュニティにインデックス要求を指定する。ソーシャルインデックスは、その開示が引用によりここに組み入れられる、本発明の譲受人に譲渡された、２００８年８月２８日に出願された特許文献８においてさらに説明される。歩道庭園コミュニティは、すでにトピックインデックスを維持している。インデクシングシステムは次いで、所与のＵＲＬをもつウェブページを巡回し、ページ上、或いはブロガーのウェブサイト上の任意のその他の関連ページを分析する。インデクシングシステムは、歩道庭園コミュニティのためのインデックスの中から関連性のあるトピックを選択することによって、トピック別に関連性のある情報、ここではサブインデックスを選択する。インデクシングシステムはまた、ウィジェットに関連性のある広告を対象とするために、トピックを用いることもできる。最後に、インデクシングシステムは、ウェブコンテンツとしてウィジェット表示のための説明を生成し、ウィジェットにその説明を送り返す。ウィジェットは次に、ウェブブラウザを介してウェブコンテンツを表示し、任意の引き続き行われるユーザ選択を処理する。
【００３６】
ウィジェットは、「歩道の庭師（qred Sidewalk Gardeners）」のヘディング（heading）をもつ囲み領域である。識別されたトピックは「動物とペット（Animals and Pets）」、「消費財生産（Consumption Production）」、「さあ、始めよう（Getting Started）」、「木工工具（Hand Tools）」、「太陽光を考える（Sunlight Considerations）」、「お隣さん（Neighborhood Groups）」、「有機肥料（Organic Fertilizers）」、「春植え（Spring Planting）」及び「散水システム（Watering Systems）」である。ユーザが任意のトピックをクリックすると、ブラウザは、そのトピックに関する追加の記事を探すことができるソーシャルインデクシングサイトについてのページを表示する。
【００３７】
ウィジェットはまた、ガーデニングに関する本、並びに、種に関する２つの広告に対するスポンサードリンク形態の広告を含む。ユーザは製品に関するより多くの情報を得るために、又はそれらを購入するためにこれらのリンクをクリックすることができる。Ｓｉｅｒｒａ  Ｃｌｕｂのロゴは、ウィジェットに対する広告の広告収入がＳｉｅｒｒａ  Ｃｌｕｂと分け合っていることを示している。
【００３８】
本発明が、その実施形態を参照しながら具体的に示され、説明されてきたが、その精神及び範囲を逸脱することなく、形態及び細部に渡って前述の及びその他の変更が行われうることを、当業者は理解するであろう。
【符号の説明】
【００３９】
１０：環境
１１：ソーシャルインデクシングシステム
１２：トピック検索システム
１３ａ‐ｃ：ユーザデバイス
１４ａ：ウェブサーバ
１４ｂ：ニュース集積サーバ
１４ｃ：投票権を持つニュースサーバ
１５ａ：ウェブコンテンツ
１５ｂ：ニュースコンテンツ
１５ｃ：「点検された」コンテンツ
１６：ネットワーク
【図１】
2010055619.tif 000003
【図２】
2010055619.tif 000004
【図３】
2010055619.tif 000005
【図４】
2010055619.tif 000006
【図５】
2010055619.tif 000007
【図６】
2010055619.tif 000008
【図７】
2010055619.tif 000009
【図８】
2010055619.tif 000010